(57)【要約】【課題】常に圧縮機摺動部への潤滑油の供給を確保することにより圧縮機の損傷を防止できる空気調和機を提供すること。【解決手段】室内温度と設定温度との差により制御される圧縮機を有する空気調和機であって、圧縮機の運転周波数が、所定時間、予め設定された保護運転周波数ｆｐｒｏ以下で、かつ所定時間経過後、保護運転周波数ｆｐｒｏ以上でその差分が所定値ｆ１以上であれば、所定時間ｔｐｒｏかつ前記保護運転周波数ｆｐｒｏで圧縮機の保護運転を行うことにより、圧縮機の起動時のみだけでなく、さまざまな運転周波数の変動に対応できるため常に圧縮機摺動部への潤滑油の供給を確保することができ圧縮機の損傷を防止できる。【選択図】図３
2007232321.tif 000002
【特許請求の範囲】
【請求項１】
室内熱交換器、室内ファン、圧縮機、室外熱交換器、室外ファンを有する空気調和機であって、室内温度と設定温度との差により圧縮機の運転周波数を制御する圧縮機運転周波数制御手段を有し、前記圧縮機運転周波数制御手段により出力された圧縮機の運転周波数が、所定時間、予め設定された保護運転周波数ｆｐｒｏ以下で、かつ所定時間経過後、保護運転周波数ｆｐｒｏ以上でその差分が所定値ｆ１以上であれば、所定時間ｔｐｒｏかつ前記保護運転周波数ｆｐｒｏで圧縮機の保護運転を行うことを特徴とする空気調和機。
【請求項２】
室内熱交換器の配管温度を検出する室内配管温度検出手段を具備するとともに、冷房運転且つ圧縮機の保護運転中において前記室内配管温度検出手段により検出した室内配管温度が、予め設定された凍結防止のための設定値を下回ったら、前記圧縮機の運転周波数を保護運転周波数ｆｐｒｏより低い所定の運転周波数ｆｆｒｚにすることを特徴とする請求項１に記載の空気調和機。
【請求項３】
室内熱交換器の配管温度を検出する室内配管温度検出手段を具備するとともに、暖房運転且つ圧縮機の保護運転中において前記室内配管温度検出手段により検出した室内配管温度が、予め設定された暖房過負荷のための設定値を上回ったら、前記圧縮機の運転周波数を保護運転周波数ｆｐｒｏより低い所定の運転周波数ｆｈｏｖｌにすることを特徴とする請求項１に記載の空気調和機。
【請求項４】
室外熱交換器の配管温度を検出する室外配管温度検出手段を具備するとともに、冷房運転且つ圧縮機の保護運転中において前記室外配管温度検出手段により検出した室外配管温度が、予め設定された冷房過負荷のための設定値を上回ったら、前記圧縮機の運転周波数を保護運転周波数ｆｐｒｏより低い所定の運転周波数ｆｃｏｖｌにすることを特徴とする請求項１に記載の空気調和機。
【請求項５】
圧縮機の温度を検出する圧縮機温度検出手段を具備するとともに、前記圧縮機の保護運転中において前記圧縮機温度検出手段により検出した圧縮機温度が、予め設定された圧縮機保護のための設定値を上回ったら、前記圧縮機の運転周波数を保護運転周波数ｆｐｒｏより低い所定の運転周波数ｆｃｍｐにすることを特徴とする請求項１に記載の空気調和機。
【発明の詳細な説明】
【技術分野】
【０００１】
本発明は室内温度と設定温度との差により圧縮機の運転周波数を制御する空気調和機に関するものである。
【背景技術】
【０００２】
従来、この種の空気調和機は、圧縮機の停止中には密閉容器内の潤滑油に冷媒が溶け込み溜り込むいわゆる寝込み現象が頻繁に発生しており、この状態から一気に圧縮機を高周波数で運転すると、圧縮機内の潤滑油は吐出冷媒により多量に外部へ持ち出され、信頼性が大きく低下する為、これを回避しようと起動時には低い運転周波数から段階的に運転周波数を上昇させて潤滑油が吐出冷媒によって多量に外部へ持ち出されるのを防いでいる（例えば、特許文献１参照）。
【０００３】
図５は、特許文献１に記載された従来の空気調和機における制御装置の運転特性図を示すものであり、横軸に起動からの時間、縦軸に冷媒圧縮機の回転数をとっている。
【０００４】
図５に示すように、圧縮機が起動される第１の保持周波数ｆ０１は低い周波数に設定されているため、潤滑油が外部へ持ち出される量は少なく、潤滑油が確保される。しかし、低い速度であるため摺動部への潤滑油の供給量は少なく、従って、長時間運転することは信頼性を低下させることになる。そのため、比較的短い所定時間保持した後、第２の保持周波数ｆ０２を設け立ち上がりのウオーミングアップ運転に入る。この第２の保持周波数ｆ０２で運転後、負荷に応じた回転数で運転する。第２の保持周波数で運転するため、冷媒圧縮機の信頼性を確保しながら、立ち上がり性が大きく向上できる。
【特許文献１】特開平７−３０１４６０号公報
【発明の開示】
【発明が解決しようとする課題】
【０００５】
しかしながら、前記従来の構成では、圧縮機を起動した時のみの制御であり、その後の急激な圧縮機周波数の変化には対応しておらず、長配管設置かつ長時間圧縮機周波数が低い状態、つまり摺動部への潤滑油の供給量が少ない状態（圧縮機内の潤滑油レベル低い）から一気に圧縮機周波数が上昇した時には圧縮機内の潤滑油は多量に吐出冷媒により、圧縮機の外部へと吐き出され、潤滑油が確保されず圧縮機内では潤滑油不足により、異常磨耗や焼き付きなどの不具合を生じる課題を有していた。
【０００６】
本発明は、前記従来の課題を解決するもので、常に圧縮機摺動部への潤滑油の供給を確保することにより圧縮機の損傷を防止できる空気調和機を提供することを目的とする。
【課題を解決するための手段】
【０００７】
前記従来の課題を解決するために、本発明の空気調和機は、室内温度と設定温度との差により決定された圧縮機の運転周波数が、所定時間、予め設定された保護運転周波数ｆｐｒｏ以下で、かつ所定時間経過後、保護運転周波数ｆｐｒｏ以上でその差分が所定値ｆ１以上であれば、所定時間ｔｐｒｏかつ保護運転周波数ｆｐｒｏで圧縮機の保護運転を行うものである。
【０００８】
これによって、圧縮機の起動時のみだけでなく、長配管設置かつ長時間圧縮機周波数が低い状態、つまり摺動部への潤滑油の供給量が少ない状態（圧縮機内の潤滑油レベルが低い）から一気に圧縮機周波数が上昇した時など、さまざまな運転周波数の変動に対応できるため常に圧縮機摺動部への潤滑油の供給を確保することができ圧縮機の損傷を防止でき
る。
【発明の効果】
【０００９】
本発明の空気調和機は、常に圧縮機摺動部への潤滑油の供給を確保することにより圧縮機の損傷を防止することができ、ユーザに信頼性が高く、不具合の少ない空気調和機を提供することができる。
【発明を実施するための最良の形態】
【００１０】
第１の発明は室内熱交換器、室内ファン、圧縮機、室外熱交換器、室外ファンを有する空気調和機であって、室内温度と設定温度との差により圧縮機の運転周波数を制御する圧縮機運転周波数制御手段を有し、圧縮機運転周波数制御手段により出力された圧縮機の運転周波数が、所定時間、予め設定された保護運転周波数ｆｐｒｏ以下で、かつ所定時間経過後、保護運転周波数ｆｐｒｏ以上でその差分が所定値ｆ１以上であれば、所定時間ｔｐｒｏかつ保護運転周波数ｆｐｒｏで圧縮機の保護運転を行うことにより、圧縮機の起動時のみだけでなく、長配管設置かつ長時間圧縮機周波数が低い状態、つまり摺動部への潤滑油の供給量が少ない状態（圧縮機内の潤滑油レベルが低い）から一気に圧縮機周波数が上昇した時など、さまざまな運転周波数の変動に対応できるため常に圧縮機摺動部への潤滑油の供給を確保することができ圧縮機の損傷を防止できる。
【００１１】
第２の発明は、特に、第１の発明の圧縮機の運転周波数を、冷房運転且つ圧縮機の保護運転中において室内配管温度が予め設定された凍結防止のための設定値を下回ったら、保護運転周波数ｆｐｒｏより低い所定の運転周波数ｆｆｒｚにすることにより、室内熱交換器の凍結を防止すると共に圧縮機内の潤滑油の吐出量を低減し圧縮機の信頼性向上を図ることができる。
【００１２】
第３の発明は、特に、第１の発明の圧縮機の運転周波数を、暖房運転且つ圧縮機の保護運転中において室内配管温度が予め設定された暖房過負荷のための設定値を上回ったら、保護運転周波数ｆｐｒｏより低い所定の運転周波数ｆｈｏｖｌにすることにより、暖房運転時の圧縮機の吐出圧力を低減し圧縮機を保護すると共に圧縮機内の潤滑油の吐出量を低減し圧縮機の信頼性向上を図ることができる。
【００１３】
第４の発明は、特に、第１の発明の圧縮機の運転周波数を、冷房運転且つ圧縮機の保護運転中において室外配管温度が予め設定された冷房過負荷のための設定値を上回ったら、保護運転周波数ｆｐｒｏより低い所定の運転周波数ｆｃｏｖｌにすることにより、冷房運転時の圧縮機の吐出圧力を低減し圧縮機を保護すると共に圧縮機内の潤滑油の吐出量を低減し圧縮機の信頼性向上を図ることができる。
【００１４】
第５の発明は、特に、第１の発明の圧縮機の運転周波数を、圧縮機の保護運転中において圧縮機温度が予め設定された圧縮機保護のための設定値を上回ったら、保護運転周波数ｆｐｒｏより低い所定の運転周波数ｆｃｍｐにすることにより、圧縮機の過熱による電動機巻線の絶縁劣化、構成部品の劣化などの圧縮機過熱防止すると共に圧縮機内の潤滑油の吐出量を低減し圧縮機の信頼性向上を図ることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の冷凍サイクル図、図２は、本発明の第１の実施の形態における空気調和機のブロック図を示すものである。
【００１７】
図１において、圧縮機１、四方弁２、室内熱交換器３、膨張弁４、室外熱交換器５を順次接続してヒートポンプ式の冷凍サイクルを形成している。
【００１８】
また、室内熱交換器３に通風する室内ファン６、室外熱交換器５に通風する室外ファン７が設けられている。
【００１９】
室内機、室外機にはそれぞれ、室内温度を検出する室内温度センサ１２、室内熱交換器３配管温度を検出する室内配管温度センサ１３、室外熱交換器５配管温度を検出する室外配管温度センサ２２、圧縮機１温度を検知する圧縮機温度センサ２３が設けられ、空気調和機の運転停止手段や室内温度を設定する温度調節設定手段等を設けた制御信号入力手段１４と共に制御部８に信号を入力している。
【００２０】
制御信号入力手段１４は本体と通信線で接続されていても、リモコンのようにワイヤレス型のものであってもよい。
【００２１】
制御部８は、室内ファン駆動制御回路９、室外ファン駆動制御回路１０、インバータ回路１１を介し、室内ファン６、室外ファン７、圧縮機１の回転数を制御する。
【００２２】
図２において、制御部８はマイコンとその周辺回路およびそのプログラムソフトからなり、室内温度検出手段１５、設定温度読み取り手段１６、室内温度制御手段１７、圧縮機の運転周波数制御手段１８、室内配管温度検出手段１９、室外配管温度検出手段２０、圧縮機温度検出手段２１等が設けられている。
【００２３】
本実施の形態では、室内温度検出手段１５として室内温度センサ１２、室内配管温度検出手段１９として室内配管温度センサ１３、室外配管温度検出手段２０として室外配管温度センサ２２、圧縮機温度検出手段２１として圧縮機温度センサ２３が用いられている。
【００２４】
以上のように構成された空気調和機について、以下その動作、作用を説明する。
【００２５】
図３は、本発明の第１の実施の形態における空気調和機の制御メインルーチンフローチャート、図４は、本発明の第１の実施の形態における空気調和機の制御サブルーチンフローチャートを示すものである。
【００２６】
図３において、ステップＳ１００でメイン制御がスタートし、ステップＳ１０１に進む。ステップＳ１０１で、圧縮機運転周波数制御手段により初期の圧縮機の運転周波数ｆｔ０が決定出力され、圧縮機の運転周波数ｆはｆｔ０に設定される。
【００２７】
次にステップＳ１０２からステップＳ１０７は、室内温度と設定温度との差により圧縮機の運転周波数を制御する処理フローを表す。
【００２８】
ステップＳ１０１で、運転周波数ｆｔ０に設定して一定時間後にステップＳ１０２に進み、室内温度検出手段によって室内温度Ｔｉｎをサンプリングし、ステップＳ１０３に進む。
【００２９】
ステップＳ１０３、Ｓ１０５で、空気調和機の運転モードが冷房運転か暖房運転かを判定する。ステップＳ１０３で冷房運転であれば、ステップＳ１０４へ進み、冷房運転でなければステップＳ１０５へ進む。ステップＳ１０５で暖房運転であれば、ステップＳ１０６へ進み、暖房運転でなければＳ１０１へ戻る。
【００３０】
ステップＳ１０４で、サンプリングした室内温度Ｔｉｎと、設定温度読み取り手段で読
み取ったリモコンの設定温度Ｔａとを比較し、その差分｜Ｔｉｎ−Ｔａ｜が規定値のＴｃｈより大きい即ち、実際の温度と設定温度の差が大きければ、圧縮機の運転周波数を大きいものに変更するよう、圧縮機運転周波数制御手段により圧縮機の運転周波数ｆｔ１が決定出力される。
【００３１】
一方、差分｜Ｔｉｎ−Ｔａ｜が規定値のＴｃｈより小さい即ち、実際の温度と設定温度の差が小さければ、圧縮機の運転周波数を小さいものに変更するよう、圧縮機運転周波数制御手段により圧縮機の運転周波数ｆｔ１が決定出力される。
【００３２】
ステップＳ１０５で、サンプリングした室内温度Ｔｉｎと、設定温度読み取り手段で読み取ったリモコンの設定温度Ｔａとを比較し、その差分｜Ｔｉｎ−Ｔａ｜が規定値のＴｈｈより大きい即ち、実際の温度と設定温度の差が大きければ、圧縮機の運転周波数を大きいものに変更するよう、圧縮機運転周波数制御手段により圧縮機の運転周波数ｆｔ１が決定出力される。
【００３３】
一方、差分｜Ｔｉｎ−Ｔａ｜が規定値のＴｈｈより小さい即ち、実際の温度と設定温度の差が小さければ、圧縮機の運転周波数を小さいものに変更するよう、圧縮機運転周波数制御手段により圧縮機の運転周波数ｆｔ１が決定出力される。
【００３４】
ステップＳ１０７で、圧縮機の運転周波数ｆは圧縮機運転周波数制御手段により決定されたｆｔ１に設定される。
【００３５】
ステップＳ１０８からステップＳ１１２は、圧縮機の保護運転を行う処理フローを表す。
【００３６】
ステップＳ１０８で、圧縮機の初期の運転周波数ｆｔ０が、所定時間、予め設定された保護運転周波数ｆｐｒｏ以下で、かつ所定時間経過後、変更された圧縮機の運転周波数ｆｔ１が保護運転周波数ｆｐｒｏ以上でその差分（ｆｔ１−ｆｔ０）が所定値ｆ１以上であれば、圧縮機保護運転ループＳ１０９〜Ｓ１１２に入る。そうでなければ、圧縮機保護運転は行わず、ステップＳ１１３へ進み、圧縮機の運転周波数ｆはｆｔ１に設定されたままである。
【００３７】
ステップＳ１０９で圧縮機保護運転ループでの経過時間ｔを計時し、経過時間ｔが所定時間ｔｐｒｏになるまで、ステップＳ１１０、Ｓ１１１の状態で圧縮機保護運転を継続する。
【００３８】
ステップＳ１１０で、圧縮機の運転周波数ｆを保護運転周波数ｆｐｒｏとし、圧縮機の保護運転を行う。次のステップＳ１１１は温度保護制御のサブルーチンであり、その内容は、図４を用いて後述する。
【００３９】
経過時間ｔが所定時間ｔｐｒｏになれば、ステップＳ１１２で圧縮機保護運転ループが終了し、ステップＳ１１３へ進み、圧縮機の運転周波数ｆをｆｔ１へ戻し、当初目的の運転を実施する。
【００４０】
以上のように、ステップＳ１０８からステップＳ１１２の制御フローでは、圧縮機の保護運転を行う。例えば、予めマイコンのメモリーに規定値として、保護運転周波数ｆｐｒｏを８０Ｈｚ、所定値ｆ１を８０Ｈｚと設定した時、差分｜Ｔｉｎ−Ｔａ｜より導き出された圧縮機の運転周波数ｆｔ１が８０Ｈｚ以上で差分（ｆｔ１−ｆｔ０）が８０Ｈｚ以上であれば、圧縮機の運転周波数ｆを８０Ｈｚで所定時間（例えば１０分間）運転する。この圧縮機保護運転によって、圧縮機摺動部への潤滑油の供給を確保した状態になったら圧
縮機の運転周波数ｆを設定圧縮機周波数ｆｔ１に戻して運転する。
【００４１】
この制御により、圧縮機の起動時だけでなく、さまざまな運転周波数の変動に対応できる為、常に圧縮機摺動部への潤滑油の供給を確保することができ、圧縮機の損傷を防止できる。
【００４２】
続いて、図４を用いて、温度保護制御のサブルーチンについて説明する。
【００４３】
図４は、図３のステップＳ１１１で実施されるサブルーチンのフローチャートであって、直前の図３のステップＳ１０９で、圧縮機保護運転ループに入っている。従って、ステップＳ１１０の、圧縮機の運転周波数ｆが保護運転周波数ｆｐｒｏとなる圧縮機の保護運転が行われている条件下で、更に温度保護の制御を行うものである。
【００４４】
図４において、ステップＳ２００でサブ制御がスタートし、ステップＳ２０１に進む。
【００４５】
ステップＳ２０１、Ｓ２１１で、空気調和機の運転モードが冷房運転か暖房運転かを判定する。ステップＳ２０１で冷房運転であれば、ステップＳ２０２へ進み、冷房運転でなければステップＳ２１１へ進む。ステップＳ２１１で暖房運転であれば、ステップＳ２１２へ進み、暖房運転でなければＳ２３２へ進む。
【００４６】
ステップＳ２０２で、室内配管温度検出手段によって室内熱交換器の配管温度Ｔｐｉを検出し、予め設定された凍結防止のための設定値Ｔｆｒｚより小さければ凍結保護の必要性ありと判断し、ステップＳ２０３へ進んで圧縮機を凍結防止運転に切り替える。
【００４７】
即ち、ステップＳ２０３で圧縮機の運転周波数ｆを保護運転周波数ｆｐｒｏから凍結保護運転周波数ｆｆｒｚへ変更して圧縮機を運転する。ここで、凍結保護運転周波数ｆｆｒｚは予め設定された凍結防止のための設定値であって、保護運転周波数ｆｐｒｏより低い値で、室内熱交換器の凍結を防止すると共に圧縮機内の潤滑油の吐出量を低減し圧縮機の信頼性向上を図るものである。
【００４８】
このように圧縮機の運転を保護運転から凍結保護運転に切り替え、ステップ２０５へ進んで元の圧縮機保護運転ループ内に戻らず、処理を終了する。
【００４９】
ステップＳ２０２で、室内配管温度検出手段によって室内熱交換器の配管温度Ｔｐｉを検出し、予め設定された凍結防止のための設定値Ｔｆｒｚより小さくなければステップＳ２２２へ進む。
【００５０】
ステップＳ２２２で、室外配管温度検出手段によって室外熱交換器の配管温度Ｔｐｏを検出し、予め設定された冷房過負荷のための設定値Ｔｃｏｖｌを上回ったら冷房過負荷保護の必要性ありと判断し、ステップＳ２２３へ進んで圧縮機を冷房過負荷保護運転に切り替える。
【００５１】
即ち、ステップＳ２２３で圧縮機の運転周波数ｆを保護運転周波数ｆｐｒｏから冷房過負荷保護運転周波数ｆｃｏｖｌへ変更して圧縮機を運転する。ここで、冷房過負荷保護運転周波数ｆｃｏｖｌは予め設定された冷房過負荷のための設定値であって、保護運転周波数ｆｐｒｏより低い値で、圧縮機の吐出圧力を低減し圧縮機を保護すると共に圧縮機内の潤滑油の吐出量を低減し圧縮機の信頼性向上を図るものである。
【００５２】
このように圧縮機の運転を保護運転から冷房過負荷保護運転に切り替え、ステップ２０５へ進んで元の圧縮機保護運転ループ内に戻らず、処理を終了する。
【００５３】
ステップＳ２１２で、室内配管温度検出手段によって室内熱交換器の配管温度Ｔｐｉを検出し、予め設定された暖房過負荷のための設定値Ｔｈｏｖｌを上回ったら暖房過負荷保護の必要性ありと判断し、ステップＳ２１３へ進んで圧縮機を暖房過負荷保護運転に切り替える。
【００５４】
即ち、ステップＳ２１３で圧縮機の運転周波数ｆを保護運転周波数ｆｐｒｏから暖房過負荷保護運転周波数ｆｈｏｖｌへ変更して圧縮機を運転する。ここで、暖房過負荷保護運転周波数ｆｈｏｖｌは予め設定された暖房過負荷のための設定値であって、保護運転周波数ｆｐｒｏより低い値で、圧縮機の吐出圧力を低減し圧縮機を保護すると共に圧縮機内の潤滑油の吐出量を低減し圧縮機の信頼性向上を図るものである。
【００５５】
このように圧縮機の運転を保護運転から冷房過負荷保護運転に切り替え、ステップ２０５へ進んで元の圧縮機保護運転ループ内に戻らず、処理を終了する。
【００５６】
ステップＳ２３２で、圧縮機温度検出手段によって圧縮機の温度Ｔｃを検出し、予め設定された圧縮機過熱保護のための設定値Ｔｃｍｐを上回ったら圧縮機過熱保護の必要性ありと判断し、ステップＳ２３３へ進んで圧縮機を圧縮機過熱保護運転に切り替える。
【００５７】
即ち、ステップＳ２３３で圧縮機の運転周波数ｆを保護運転周波数ｆｐｒｏから圧縮機過熱保護運転周波数ｆｃｍｐへ変更して圧縮機を運転する。ここで、圧縮機過熱保護運転周波数ｆｃｍｐは予め設定された圧縮機過熱保護のための設定値であって、保護運転周波数ｆｐｒｏより低い値で、圧縮機の過熱による電動機巻線の絶縁劣化、構成部品の劣化などの圧縮機過熱防止すると共に圧縮機内の潤滑油の吐出量を低減し圧縮機の信頼性向上を図るものである。
【００５８】
このように圧縮機の運転を保護運転から圧縮機過熱保護運転に切り替え、ステップ２０５へ進んで元の圧縮機保護運転ループ内に戻らず、処理を終了する。
【００５９】
ステップＳ２３２で、圧縮機温度検出手段によって圧縮機の温度Ｔｃを検出し、予め設定された圧縮機過熱保護のための設定値Ｔｃｍｐを上回らなかったらステップ２０４へ進み、温度保護制御のサブルーチンを終了して、図３のステップＳ１０９から始まる圧縮機保護運転ループ内に戻り、経過時間ｔが所定時間ｔｐｒｏになるまで圧縮機の運転周波数ｆを保護運転周波数ｆｐｒｏとし、圧縮機の保護運転を行う。
【００６０】
以上のように、本実施の形態においては圧縮機の運転周波数が、所定時間、予め設定された保護運転周波数ｆｐｒｏ以下で、かつ所定時間経過後、保護運転周波数ｆｐｒｏ以上でその差分が所定値ｆ１以上であれば、所定時間ｔｐｒｏかつ保護運転周波数ｆｐｒｏで圧縮機の保護運転を行うことにより、圧縮機の起動時のみだけでなく、長配管設置かつ長時間圧縮機周波数が低い状態、つまり摺動部への潤滑油の供給量が少ない状態（圧縮機内の潤滑油レベルが低い）から一気に圧縮機周波数が上昇した時など、さまざまな運転周波数の変動に対応できるため常に圧縮機摺動部への潤滑油の供給を確保することができ圧縮機の損傷を防止できる。
【００６１】
また、本実施の形態では、冷房運転で圧縮機の保護運転中に室内配管温度が予め設定された凍結防止のための設定値を下回ったら、圧縮機の運転周波数を保護運転周波数ｆｐｒｏより低い所定の運転周波数ｆｆｒｚにすることにより、室内熱交換器の凍結を防止すると共に圧縮機内の潤滑油の吐出量を低減し圧縮機の信頼性向上を図ることができる。
【００６２】
また、本実施の形態では、暖房運転で圧縮機の保護運転中に室内配管温度が予め設定さ
れた暖房過負荷のための設定値を上回ったら、圧縮機の運転周波数を保護運転周波数ｆｐｒｏより低い所定の運転周波数ｆｈｏｖｌにすることにより、暖房運転時の圧縮機の吐出圧力を低減し圧縮機を保護すると共に圧縮機内の潤滑油の吐出量を低減し圧縮機の信頼性向上を図ることができる。
【００６３】
また、本実施の形態では、冷房運転で圧縮機の保護運転中に室外配管温度が予め設定された冷房過負荷のための設定値を上回ったら、圧縮機の運転周波数を保護運転周波数ｆｐｒｏより低い所定の運転周波数ｆｃｏｖｌにすることにより、冷房運転時の圧縮機の吐出圧力を低減し圧縮機を保護すると共に圧縮機内の潤滑油の吐出量を低減し圧縮機の信頼性向上を図ることができる。
また、本実施の形態では、圧縮機の保護運転中に圧縮機温度が予め設定された圧縮機保護のための設定値を上回ったら、圧縮機の運転周波数を保護運転周波数ｆｐｒｏより低い所定の運転周波数ｆｃｍｐにすることにより、圧縮機の過熱による電動機巻線の絶縁劣化、構成部品の劣化などの圧縮機過熱防止すると共に圧縮機内の潤滑油の吐出量を低減し圧縮機の信頼性向上を図ることができる。
【産業上の利用可能性】
【００６４】
以上のように、本発明にかかる空気調和機は、常に圧縮機摺動部への潤滑油の供給を確保することにより圧縮機の損傷を防止することができ、ユーザに信頼性が高く、不具合の少ない空気調和機を提供することができるので、圧縮機を有する除湿機等の用途にも適用できる。
【図面の簡単な説明】
【００６５】
【図１】本発明の実施の形態１における空気調和機の冷凍サイクル図
【図２】本発明の実施の形態１における空気調和機のブロック図
【図３】本発明の実施の形態１における空気調和機の制御メインルーチンフローチャート
【図４】本発明の実施の形態１における空気調和機の制御サブルーチンフローチャート
【図５】従来の空気調和機における制御装置の運転特性図
【符号の説明】
【００６６】
１  圧縮機
２  四方弁
３  室内熱交換器
４  膨張弁
５  室外熱交換器
６  室内ファン
７  室外ファン
８  制御部
９  室内ファン駆動制御回路
１０  室外ファン駆動制御回路
１１  インバータ回路
１２  室内温度センサ
１３  室内配管温度センサ
１４  制御信号入力手段
１５  室内温度検出手段
１６  設定温度読み取り手段
１７  室内温度制御手段
１８  圧縮機の運転周波数制御手段
１９  室内配管温度検出手段
２０  室外配管温度検出手段
２１  圧縮機温度検出手段
２２  室外配管温度センサ
２３  圧縮機温度センサ
【図１】
2007232321.tif 000003
【図２】
2007232321.tif 000004
【図３】
2007232321.tif 000005
【図４】
2007232321.tif 000006
【図５】
2007232321.tif 000007